(57)【要約】【課題】建物内に浴室ユニットを設置した際に、浴室ユニットの配管用の作業スペースを容易に広くとることができる浴室ユニットの設置構造を提供する。【解決手段】特定階１の一部に設けられ、特定床２との間に収納空間５が設けられる中間床４に、収納空間５に開口する開口部４６が形成され、この開口部４６に支持フレーム４７が取付けられ、この支持フレーム４７に浴室ユニット４０が設置されている。浴室ユニット４０の下方は収納空間５であり、浴室ユニット４０の底部４０ａ，４０ｂは支持フレームを４７通して収納空間５側に露出しているので、浴室ユニット４０の配管用の作業スペースを収納空間側に容易に広くとることができ、よって、配管作業が容易となる。【選択図】図７
2006045878.tif 000002
【特許請求の範囲】
【請求項１】
特定階の一部に、中間床が前記特定階を構成する特定床の上側において設けられ、この中間床と前記特定床との間が収納空間とされており、
前記中間床に、前記収納空間に開口する開口部が形成されており、この開口部に支持フレームが取付けられており、この支持フレームに浴室ユニットが設置されていることを特徴とする浴室ユニットの設置構造。
【請求項２】
請求項１に記載の浴室ユニットの設置構造において、
前記浴室ユニットは、その底部が、前記中間床の床面より下方に位置するようにして前記支持フレームに設置されていること特徴とする浴室ユニットの設置構造。
【請求項３】
請求項１または２に記載の浴室ユニットの設置構造において、
前記収納空間の上部には、防湿カバーが前記開口部を覆うようにして設けられていることを特徴とする浴室ユニットの設置構造。
【請求項４】
請求項３に記載の浴室ユニットの設置構造において、
前記防湿カバーには、点検口とこの点検口を開閉する開閉部材が設けられていることを特徴とする浴室ユニットの設置構造。
【請求項５】
請求項１〜４のいずれか一項に記載の浴室ユニットの設置構造において、
前記収納空間には、前記浴室ユニットに接続する配管を通すパイプスペースがその周囲を壁で囲まれて設けられており、この壁には点検口とこの点検口を開閉する開閉部材が設けられていることを特徴とする浴室ユニットの設置構造。
【請求項６】
請求項５に記載の浴室ユニットの設置構造において、
前記収納空間の一部は、建物の内部と仕切られ、かつ、外部に開口する外部収納空間とされており、この外部収納空間に前記パイプスペースが設けられていることを特徴とする浴室ユニットの設置構造。
【発明の詳細な説明】
【技術分野】
【０００１】
本発明は、浴室ユニットの設置構造に関する。
【背景技術】
【０００２】
従来、浴室ユニットの設置構造の一例として、特許文献１に記載のものが知られている。この浴室ユニットの設置構造では、浴室ユニットを１階に設置するようにした構造であり、該浴室ユニットは基礎床面に立設された複数の支持脚によって下方から支持されており、これによって、浴室ユニットの床部と基礎床面との間に、給排水用の配管空間を形成するようにしている。
また、浴室ユニットを２階等の１階より上方の階に設置する場合、例えば、浴室ユニットを上階の床面に立設された複数の支持脚によって下方からすることによって、浴室ユニットの床部と上階の床面との間に、給排水用の配管空間を形成すればよい。
【特許文献１】特開２００１−２０７５０１
【発明の開示】
【発明が解決しようとする課題】
【０００３】
ところで、上記従来技術では、１階や２階以上の浴室ユニットを設置する場合、配管空間が支持脚の高さかもしくはそれ以下の高さしかなく、作業スペースが非常に狭いので、浴室ユニットを設置した後の配管作業に手間がかかる。
【０００４】
本発明は上記事情に鑑みてなされたもので、建物内に浴室ユニットを設置した際に、浴室ユニットの配管用の作業スペースを容易に広くとることができる浴室ユニットの設置構造を提供することを課題としている。
【課題を解決するための手段】
【０００５】
上記課題を解決するために、請求項１に記載の発明は、例えば、図２、図３、図４、図７〜図９に示すように、特定階１の一部に、中間床４が前記特定階１を構成する特定床２の上側において設けられ、この中間床４と前記特定床２との間が収納空間５とされており、
前記中間床４に、前記収納空間５に開口する開口部４６が形成されており、この開口部４６に支持フレーム４７が取付けられており、この支持フレーム４７に浴室ユニット４０が設置されていることを特徴とする。
【０００６】
ここで、特定階とは、建物の所定の階を意味し、例えば、１階、２階、３階等の所定の階は勿論のこと、地下にある地下１階、２階等の所定の階も意味する。そして、特定床は特定階を構成する床であり、特定階が１階であれば１階床、２階であれば２階床である。
中間床は特定床の上側でかつ特定階に設けられる床であり、この中間床と特定床の間が収納空間とされる。中間床は、収納空間の高さが０．９ｍ〜１．４ｍ程度となるように、特定床の上方に設けられるのが望ましい。
【０００７】
請求項１に記載の発明によれば、中間床４の開口部４６に取付けられた支持フレーム４７によって浴室ユニット４０を支持できる。そして、この浴室ユニット４０の下方は収納空間５であり、浴室ユニット４０の底部４０ａ，４０ｂは支持フレーム４７を通して収納空間５側に露出しているので、浴室ユニット４０の配管用の作業スペースを収納空間側に容易に広くとることができ、よって、配管作業が容易となる。
【０００８】
請求項２に記載の発明は、請求項１に記載の浴室ユニットの設置構造において、
前記浴室ユニット４０は、その底部４０ａ，４０ｂが、前記中間床４の床面４ａより下方に位置するようにして前記支持フレーム４７に設置されていること特徴とする。
【０００９】
請求項２に記載の発明によれば、浴室ユニット４０は、その底部４０ａ，４０ｂが中間床４の床面４ａより下方に位置するようにして支持フレーム４７に設置されているので、浴室ユニット４０の床面４３ａを下げて、容易に中間床４の床面４ａとほぼ面一にできる。これによって、浴室の床面４３ａと、それに隣接する中間床４上にある洗面室１７等の床面との段差を解消できる。
また、浴室ユニット４０の底部４０ａ，４０ｂが中間床４の床面４ａにより低くなっても、浴室ユニット４０の下方は収納空間５であるので、浴室ユニット４０の配管用の作業スペースを収納空間５側に確実に広くとることができる。
【００１０】
請求項３に記載の発明は、請求項１または２に記載の浴室ユニットの設置構造において、
前記収納空間５の上部には、防湿カバー５０が前記開口部４６を覆うようにして設けられていることを特徴とする。
【００１１】
防湿カバーで前記開口部を覆う場合、開口部に取り付けられている支持フレームを直下において、該支持フレームを同時に覆うようにする。
防湿カバーは縁部は、中間床の下面でかつ開口部の周囲の面や、開口部の周囲にある壁の壁面に水密に密着して取り付ける。また、この防湿カバーは、配管のメンテナンスを行い易くするために、着脱可能に取り付けてもよい。
【００１２】
請求項３に記載の発明によれば、防湿カバー５９によって開口部４６を覆っているので、浴室ユニット４０から発生する湿気が収納空間５に侵入するのを防止でき、よって、収納空間５を適度な湿度に保持することが容易となる。
【００１３】
請求項４に記載の発明は、請求項３に記載の浴室ユニットの設置構造において、
前記防湿カバー５０には、点検口５３ａ，５３ｂとこの点検口５３ａ，５３ｂを開閉する開閉部材（開閉蓋）５５ａ，５５ｂが設けられていることを特徴とする。
【００１４】
請求項４に記載の発明によれば、収納空間５側から開閉部材５５ａ，５５ｂを開けて、点検口５３ａ，５３ｂから浴室ユニット４０の底部４０ａ，４０ｂ、特に、浴室ユニット４０に接続された配管５４を容易に点検できる。
【００１５】
請求項５に記載の発明は、請求項１〜４のいずれか一項に記載の浴室ユニットの設置構造において、
前記収納空間５には、前記浴室ユニット４０に接続する配管５４を通すパイプスペース６０がその周囲を壁で囲まれて設けられており、この壁には点検口６１とこの点検口６１を開閉する開閉部材（開閉扉）６２が設けられていることを特徴とする。
【００１６】
パイプスペースの周囲を囲む壁は、その全てが内壁であってもよいし、一部または全てが外壁であってもよい。また、収納空間の一部を外部に開口して設ける場合、パイプスペースの周囲を囲む壁は、外壁であってもよい。
【００１７】
請求項５に記載の発明によれば、配管５４を通すパイプスペース６０が壁に囲まれているので、収納空間５に配管５４が露出することがなく、収納空間５内の見映えがよくなるとともに、配管回りの湿気が収納空間５に侵入するのを防止できる。
また、収納空間５側から開閉部材６２を開けて、点検口６１から浴室ユニット４０に接続された配管５４を容易に点検できる。
【００１８】
請求項６に記載の発明は、例えば図１０に示すように、請求項５に記載の浴室ユニットの設置構造において、
前記収納空間５の一部は、建物の内部と仕切られ、かつ、外部に開口する外部収納空間６６とされており、この外部収納空間６６に前記パイプスペース６０が設けられていることを特徴とする。
【００１９】
請求項６に記載の発明によれば、建物の内部と仕切られ、かつ、外部に開口する外部収納空間６６に、パイプスペース６０があるので、配管回りの湿気が建物内の収納空間５に入るのを確実に防止できる。また、外部収納空間６６側から浴室ユニット４０に接続された配管５４を容易に点検できる、つまり、建物内に入らなくても、外部側から配管５４を容易に点検できる。
【発明の効果】
【００２０】
本発明によれば、中間床に、収納空間に開口する開口部が形成されており、この開口部に支持フレームが取付けられており、この支持フレームに浴室ユニットが設置されているので、浴室ユニットの底部を支持フレームを通して収納空間側に露出させることができ、よって、浴室ユニットの配管用の作業スペースを収納空間側に容易に広くとることができ、配管作業が容易となる。
【発明を実施するための最良の形態】
【００２１】
以下、図面を参照して本発明の浴室ユニットの設置構造の実施の形態について説明する。
まず、本発明に係る浴室ユニットの設置構造について説明する前に、浴室ユニットが設置される建物について説明する。
【００２２】
建物は、図１および図２に示すように、１階を特定階１としており、この特定階１を構成する１階の床を特定床２としている。特定階（１階）１には、南側（図１および図２において左側）に居間３ａと食堂３ｂとが東西に隣接配置されている。
居間３ａの北側（図２において右側）には中間床４が設けられている。中間床４は、建物の北側の外壁に沿って特定床１の上側に設けられている。中間床４は図４に示すように、平面視において矩形状に形成に形成されており、建物の東側に若干寄せて配置されている。この中間床４と特定床２との間は、図２および図３に示すように、収納空間５とされている。この収納空間５の高さは０．９ｍ〜１．４ｍ程度とされている。
【００２３】
また、特定階１には、図３に示すように、収納空間５を挟んで玄関６と階段室７とが東西に離間して配置されており、階段室７の西側には台所８が配置されている。収納空間５と玄関６とを仕切る仕切壁５ａは、収納空間６側に奥まって設けられており、この仕切壁５ａの前方にある凹所には移動式の収納家具９，１０が設けられている。
また、収納空間５と居間３ａとを仕切る仕切壁５ｂは収納空間６側に奥まって設けられており、この仕切壁５ｂの前方にある凹所には横移動式の収納家具が複数設けられている。仕切壁５ｂには開口部が形成されており、前記収納家具はこの開口部を開閉するように横方向に仕切壁５ｂに沿って移動可能となっている。そして、この開口部から収納空間５内に出入りできるようになっている。
【００２４】
また、前記階段室７と収納空間５とは隣接配置されており、前記居間３ａは階段室７および収納空間５に接するように配置されている。したがって、特定床２上の居間３ａから収納空間５および階段室７に容易に出入りできる。
また、階段室７と台所８とを仕切る仕切壁８ａには開口部が形成され、この開口部を開閉する扉１２が取り付けられている。したがって、この扉１２を開けることによって、台所８から階段下の階段下空間７ａに出入りできるようになっている。また、前記階段下空間７ａと前記収納空間５とは連通しており、これによって、階段下空間７ａを収納空間５と連続した収納として有効利用できる。また、前記扉１２を開けることによって、台所８から階段下空間７ａを通して収納空間５に出入りできるようになっている。さらに、階段下空間７ａと前記食堂３ｂとを仕切る仕切壁にも開口部とこの開口部を開閉する扉１３が設けられており、この扉１３を開けることによって、食堂３ｂから階段下空間７ａに出入りできるようになっている。
【００２５】
また、前記階段室７と収納空間５とは、図３に示すように、建物の北側の外壁に接しており、特定床２上にある部屋（玄関６、居間３ａ、食堂３ｂ、台所８）は、階段室７と収納空間５を平面視において略凹字状に囲むように配置されている。したがって、このような部屋を階段室７に面する部屋（台所８、食堂３ｂ）、収納空間５に面する部屋（玄関６）、階段室７および収納空間５の双方に面する部屋（居間３ａ）に区画できる、つまり、階段室７や収納空間５を有効利用できるように、部屋を区画できる。
【００２６】
前記中間床４上には、図２に示すように、中間部屋１５が特定階１の直上にある直上階２１を構成する直上床２２の一部を貫通して直上階（２階）２１に突出するようにして設けられている。この中間部屋１５は、中間床４の全面上方に設けられており、本実施の形態では、図４に示すように、浴室１６と洗面室１７とトイレ１８とによって構成されている。つまり、中間部屋１５は、台所８を除いた水回り系の部屋１５とされている。
また、直上階２１には、図８に示すように、南側（図１および図２において左側）に寝室２３ａ，２３ｂが東西に隣接配置されている。寝室２３ａ，２３ｂの北側（図１および図２において右側）には直上中間床２４が設けられている。直上中間床２４は２つあり、これら直上中間床２４，２４は、中間部屋１５の天井１５ａとほぼ高さが等しい位置に設けられている。そして、この直上中間床２４，２４と直上床２２との間がそれぞれ直上階収納空間２５，２５とされている。この直上階収納空間２５の高さは０．９ｍ〜１．４ｍ程度とされている。
【００２７】
また、前記直上階収納空間２５，２５は、図５に示すように、平面視において前記階段室７および中間部屋１５を挟むようにして、東西に離間して配置されている。したがって、直上床２２上の部屋を、一方の直上階収納空間２５に面する寝室２３ａと他方の直上階収納空間２５に面する寝室２３ｂとに区画でき、よって、各寝室２３ａ，２３ｂに直上階収納空間２５，２５を確保できる。また、寝室２３ａと２３ｂとを仕切る仕切壁は、略Ｓ字状に配置されており、これによって、寝室２３ａから利用可能な収納部２６ａと、寝室２３ｂから利用可能な収納部２６ｂとが設けられている。
【００２８】
前記階段室７には、図１、図２等に示すように、階段２７が特定床２と直上床２２との間に設けられている。階段２７は折り返し階段であり、この階段２７の途中にある踊り場２７ａは、中間床４とほぼ等しい高さの位置しており、かつ、該中間床４と隣接している。したがって、中間床４に至る階段を別途設けることなく、この踊り場２７ａから中間部屋１５に容易に出入りできる。
また、階段室７には、階段２８が直上床２２と直上中間床２４との間に設けられている。この階段２８は直階段であり、この階段２８の上側の踊り場２８ａと、前記直上中間床２４と、中間部屋１５の天井の位置に設けられた天井床１５ｂとがほぼ等しい高さに位置している。
【００２９】
また、西側に位置する中間直上床２４上には、図６に示すように、子供部屋３０が設けられており、東側に位置する中間直上床２４および天井床１５ｂ上には、子供部屋３０より大きい子供部屋３１が設けられている。この子供部屋３０，３１には、前記踊り場２８ａから出入りできるようになっている。
子供部屋３０，３１は、直上床２２上の寝室２３ａ，２３ｂより床の位置が高くなっており、上部は小屋裏３３に突出している。
さらに、小屋裏３３の一部には、収納所（ロフト）３４ａ，３４ｂとルーフバルコニー３５が設けられている。収納所３４ａは子供部屋３１側に開口した比較的大型のものであり、子供部屋３１から利用できるようになっている。また、収納所３４ｂは子供部屋３０側に開口した小型のものであり、子供部屋３０から利用できるようになっている。
【００３０】
また、前記階段室７には、階段３６が前記踊り場２８ａとルーフバルコニー３５との間に設けられており、この階段３６によってルーフバルコニー３５に出入りできるようになっている。ルーフバルコニー３５の床面は前記収納所３４ａ，３４ｂの床面と等しい高さとなっており、屋根の一部に開口を形成することによって、ルーフバルコニー３５の床面に人が直立できるようになっている。また、ルーフバルコニー３５と建物内部とを仕切る壁には、窓３７，３７や扉３８が設けられており、窓３７，３７から子供部屋３０，３１に採光できるようになっている。また、階段３６は扉３８に接続されている。
【００３１】
次に、本発明に係る浴室ユニットの設置構造について説明する。
前記中間床４上には、図２および図４に示すように、中間部屋１５が設けられており、この中間部屋１５は、浴室１６と洗面室１７とトイレ１８とによって構成されている。
浴室１６は図７に示すように、浴室ユニット４０と、この浴室ユニット４０が設けられる部屋４１とによって構成されている。浴室ユニット４０は内部に洗い場４３と浴槽４４とを備えた略箱状に形成されており、前記洗面室１７側を向く側壁には、扉４５が取り付けられている。また、浴室ユニット４０の底部においては、浴槽４４の底部を構成する部分の方が、洗い場４３の床を構成する部分より低くなっている。つまり、浴槽４４は洗い場４３より深くなっている。
【００３２】
また、前記中間床４には、収納空間５に開口する開口部４６が形成されている。この開口部４６は中間床４を貫通する平面視四角形状の孔であり、その平面的な大きさは浴室ユニット４０の平面的な大きさより大きくなっている。
開口部４６には支持フレーム４７が取り付けられている。この支持フレーム４７は浴室ユニット４０が設置されるものであり、以下のように構成されている。
すなわち、図９に示すように、支持フレーム４７は枠材４７ａ，４７ｂを矩形枠状に組み立てるとともに、この矩形枠内に、架設材４７ｃ，４７ｄを平行に架設したものである。このような支持フレーム４７の平面的な外形は、開口部４６の平面形状とほぼ等しくなっている。
前記枠材４７ａ，４７ｂは、溝形鋼によって形成されたものであり、その溝が内側を向くよにして矩形枠状に組み立てられている。なお、図９においては枠材４７ａ，４７ｂは略して記載しており、溝形鋼の溝は記載していない。
また、架設材４７ｃ，４７ｄは、帯板状の鋼材によって形成されたものであり、３本の架設材４７ｃ・・・は、その上面を枠材４７ａ，４７ｂの上面と面一にして、枠材４７ａ，４７ａ間に平行架設されている。
また、２本の架設材４７ｄ，４７ｄは、枠材４７ａ，４７ｂより下方に突出しており、したがって、架設材４７ｄ，４７ｄの上面は、枠材４７ａ，４７ｂの上面より下方に位置している。つまり、２本の架設材４７ｄ，４７ｄは、その上面を枠材４７ａ，４７ｂの上面より下げて、枠材４７ａ，４７ａ間に平行に架設されている。
【００３３】
枠材４７ａ，４７ｂの上下の幅は、図８に示すように、中間床４の厚さより小さくなっている、つまり支持フレーム４７の外形枠の上下の幅は中間床４の厚さより小さくなっている。そして、このような支持フレーム４７は、開口部４６に、その外形枠の下面が中間床４の下面とほぼ面一になるようにして挿入されている。したがって、支持フレーム４７の上面は、中間床４の上面より下方に位置している。
支持フレーム４７の枠材４７ａ，４７ｂは開口部４６の内周面に当接されており、ビス４８によって、この内周面に固定されている。なお、図９に示すように、開口部４６は中間床４の中央部ではなく、角部に形成されているため、開口部４６の内周面の一部は、壁の側面によって構成されている。
【００３４】
上記のようにして中間床４の開口部４６に取り付けられている支持フレーム４７には、図７および図８に示すように、浴室ユニット４０が設置されている。浴室ユニット４０のうち、洗い場４３を構成する底部４０ａは３本の架設材４７ｃ・・・によって支持されており、浴槽４４を構成する底部４０ｂは２本の架設材４７ｄ，４７ｄによって支持されている。
この状態において、浴室ユニット４０の底部４０ａ，４０ｂは中間床４の床面４ａより
下方に位置している。このようにして浴室ユニット４０を支持フレーム４７に設置することによって、洗い場４３の床面４３ａが、中間床４の床面４ａとほぼ面一となっており、また、浴槽４４の底面４４ａが中間床４の床面４ａより下方に位置している。
【００３５】
また、収納空間５の上部には、防湿カバー５０が前記開口部４６を覆うようにして設けられている。すなわち、防湿カバー５０は、例えば合成樹脂等を成形することによって形成されたものであり、浴室ユニット４０の底部４０ａの下方側を覆う第１カバー部５０ａと、底部４０ｂの下方側を覆う第２カバー部５０ｂとを有している。第２カバー部５０ｂは第１カバー部５０ａより下方に位置しており、このため、第１カバー部５０ａと第２カバー部５０ｂとの間には、これらカバー部５０ａ，５０ｂを接続する接続部５０ｃが第１カバー部５０ａおよび第２カバー部５０ｂと一体的に形成されている。
このような防湿カバー５０は、支持フレーム４７の直下において、該支持フレーム４７を同時に覆うようして設けられている。防止カバー５０は平面視において略長方形状に形成されており、その一方の長辺部と短辺部には、水平フランジ部５０ｄが形成されており、他方の長辺部と短辺部とには、垂直フランジ部５０ｅが形成されている。
水平フランジ部５０ｄは、前記開口部４６の周囲の中間床４の下面にパッキン材５１を介して当接され、ビス５２によって固定されている。また、垂直フランジ部５０ｅは、前記開口部４６の周囲の壁面にパッキン材５１を介して当接され、ビス５２によって固定されている。
このように、防湿カバー５０によって開口部４６を覆っているので、浴室ユニット４０から発生する湿気が収納空間５に侵入するのを防止でき、よって、収納空間５を適度な湿度に保持することが容易となる。
【００３６】
また、防湿カバー５０には、二つの点検口５３ａ，５３ｂが形成されている。すなわち、第１カバー部５０ａには、点検口５３ａが形成されており、第２カバー部５０ｂには点検口５３ｂが形成されている。点検口５３ａは主に、浴室ユニット４０の底部４０ａや配管５４、点検口５３ｂは主に、浴室ユニット４０の底部４０ｂや配管５４を点検する際に使用される。また、防湿カバー５０には、点検口５３ａ，５３ｂを開閉する開閉蓋（開閉部材）５５ａ，５５ｂが着脱可能に取り付けられている。
配管５４は、浴室ユニット４０への給水や浴室ユニット４０からの排水を行うものであり、例えば、浴室ユニット４０の底部４０ａ等に一端部が接続されている。また、配管５４は中間床４と、防湿カバー５０との間に配管されており、他端部は防湿カバー５０の縁部を貫通して収納空間５に通されている。なお、収納空間５に通された配管５４は図示は省略するが、例えば収納空間５の床を貫通して基礎の内側に通されて、外部本管から枝分かれしてきた枝管に接続される。
上記のように、防湿カバー５０に点検口５３ａ，５３ｂと開閉蓋５５ａ，５５ｂを設けたので、収納空間５側から開閉蓋５５ａ，５５ｂを開けて、点検口５３ａ，５３ｂから浴室ユニットの底部４０ａ，４０ｂや浴室ユニット４０に接続された配管５４を容易に点検できる。
【００３７】
また、前記収納空間５には、図３および図７に示すように、前記配管５４を通すパイプスペースがその周囲を壁で囲まれて設けられている。この壁は建物の内側に設けられている内壁であり、例えば前記仕切壁５ａや仕切壁６０ａ，６０ｂや、パイプスペース６０の前面側に位置する仕切壁等によって構成されている。この仕切壁には、点検口６１とこの点検口６１を開閉する開閉扉（開閉部材）６２，６２が設けられている。
上記のように、配管５４を通すパイプスペース６０が壁に囲まれているので、収納空間５に配管５４が露出することがなく、収納空間５内の見映えがよくなるとともに、配管５４回りの湿気が収納空間５に侵入するのを防止できる。
また、収納空間５側から開閉扉６２，６２を開けて、点検口６１から配管５４を容易に点検できる。
【００３８】
本実施の形態によれば、中間床４に、収納空間５に開口する開口部４６が形成されており、この開口部４６に支持フレーム４７が取付けられており、この支持フレーム４７に浴室ユニット４０が設置されているので、この支持フレーム４７によって浴室ユニット４０を支持できる。そして、この浴室ユニット４０の下方は収納空間５であり、浴室ユニット４０の底部４０ａ，４０ｂは支持フレーム４７を通して収納空間５側に露出しているので、浴室ユニット４０の配管用の作業スペースを収納空間５側に容易に広くとることができ、よって、配管作業が容易となる。
また、浴室ユニット４０は、その底部４０ａ，４０ｂが中間床４の床面４ａより下方に位置するようにして支持フレーム４７に設置されているので、浴室ユニット４０の床面４３ａを下げて、容易に中間床４の床面４ａとほぼ面一にできる。これによって、浴室の床面４３ａと、それに隣接する中間床４上にある洗面室１７等の床面との段差を解消できる。
また、浴室ユニット４０の底部４０ａ，４０ｂが中間床４の床面４ａにより低くなっても、浴室ユニット４０の下方は収納空間５であるので、浴室ユニット４０の配管用の作業スペースを収納空間５側に確実に広くとることができる。
【００３９】
なお、本実施の形態では、パイプスペース６０の周囲を囲む壁は、その全てが内壁であったが、これに限ることなく、例えば、図１０に示すように、パイプスペース６０の周囲を囲む壁が、外壁６５であってもよい。この外壁６５は、収納空間５の内側に奥まって設けられており、これによって、収納空間５の一部は、外部収納空間６６となっている。この外部収納空間６６は、収納空間５の一部を構成するが、外壁６５によって建物の内部と仕切られており、かつ、外部に開口している。
そして、この外部収納空間６６の奥側にパイプスペース６０が設けられており、このパイプスペース６０の点検口は開閉扉６２，６２によって開閉されるようになっている。
【００４０】
このように、建物の内部と仕切られ、かつ、外部に開口する外部収納空間６６に、パイプスペース６０があるので、配管回りの湿気が建物内の収納空間５に入るのを確実に防止できる。また、外部収納空間６６側から浴室ユニット４０に接続された配管５４を容易に点検できる、つまり、建物内に入らなくても、外部側から配管５４を容易に点検できる。
【００４１】
なお、前記パイプスペース６０に配管５４が通されるが、この場合、配管５４が浴室ユニット４０の底部４０ａから中間床４の直下を外部に向けて延出されるので、この延出する部分を覆うように、前記防湿カバー５０を延出する。
また、浴室ユニット４０の設置位置を変更する場合、つまり、図４において、浴室ユニット４０を外壁に沿って配置する場合は、配管５４はそのまま下方に延出して前記パイプスペース６０に通せばよい。
【図面の簡単な説明】
【００４２】
【図１】本発明に係る浴室ユニットの設置構造を備えた建物の一例を示すもので、建物の西側の縦断面図である。
【図２】同、建物の東側の縦断面図である
【図３】図２におけるＡ−Ａ線視断面図である。
【図４】図２におけるＢ−Ｂ線視断面図である。
【図５】図２におけるＣ−Ｃ線視断面図である。
【図６】図２におけるＤ−Ｄ線視断面図である。
【図７】本発明に係る浴室ユニットの設置構造の一例を示すもので、その縦断面図である。
【図８】同、要部の縦断面図である。
【図９】同、支持フレームを中間床とともに示す概略斜視図である。
【図１０】本発明に係る浴室ユニットの設置構造の他の例を示すもので、収納空間を示す平面図である。
【符号の説明】
【００４３】
１  特定階
２  特定床
４  中間床
５  収納空間
４０  浴室ユニット
４０ａ，４０ｂ  浴室ユニットの底部
４６  開口部
４７  支持フレーム
５０  防湿カバー
５３ａ，５３ｂ  点検口
５４  配管
５５ａ，５５ｂ  開閉蓋（開閉部材）
６０  パイプスペース
６１  点検口
６２  開閉扉（開閉部材）
６６  外部収納空間
【図１】
2006045878.tif 000003
【図２】
2006045878.tif 000004
【図３】
2006045878.tif 000005
【図４】
2006045878.tif 000006
【図５】
2006045878.tif 000007
【図６】
2006045878.tif 000008
【図７】
2006045878.tif 000009
【図８】
2006045878.tif 000010
【図９】
2006045878.tif 000011
【図１０】
2006045878.tif 000012